【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
分離膜を間に挟んで異なる極性を有する一対の電極板を有する１つ以上の単位セル及び前記電極板からそれぞれ突出する電極タブを含む電極組立体と、
前記電極タブに連結される一対の電極リードと、
前記電極組立体を構成する電極タブのうち何れか１つの電極リード連結用タブの上に重ねられた補強タブと、を含む、フレキシブル電池。
【請求項２】
前記一対の電極リードのうち何れか１つは、前記電極リード連結用タブと前記電極リードとの間に配置される補強タブの上に結合されて前記電極リード連結用タブに連結されることを特徴とし、請求項１に記載のフレキシブル電池。
【請求項３】
前記一対の電極リードのうち何れか１つは、前記電極組立体の内側方向から前記電極組立体の外側方向を向けて曲げられる構造を特徴としており、請求項１に記載のフレキシブル電池。
【請求項４】
前記電極タブのうち電極並列連結用タブは、積層された複数の電極板のうち同じ極性を有する電極板を互いに連結する構造である、請求項１に記載のフレキシブル電池。
【請求項５】
前記電極並列連結用タブを介して同じ極性の電極板が互いに電気的に並列連結されたタブ−タブ結合部は、前記電極組立体の最上段又は最下段を成す最外殻電極板の外面を包んでいる分離膜の上に位置される、請求項４に記載のフレキシブル電池。
【請求項６】
前記フレキシブル電池は、
前記電極組立体の外部を囲むように上部圧印部と下部圧印部とが繰り返し形成された外装材部をさらに含む、請求項１に記載のフレキシブル電池。
【請求項７】
前記複数の上部圧印部と下部圧印部は、前記電極組立体及び外装材部の幅と平行な方向に連続して形成される、請求項６に記載のフレキシブル電池。
【請求項８】
電極リード連結用タブと電極リードとが互いに連結されたタブ−リード結合部は、電極組立体の内部に位置された状態であり、請求項１に記載のフレキシブル電池。
【請求項９】
前記電極板は、前記電極リード連結用タブと前記電極並列連結用タブとを全て含む第１の電極板と、前記電極並列連結用タブのみを一側に含む第２の電極板と、を含み、
前記第１の電極板の電極リード連結用タブを覆うように前記第２の電極板の上に電極合材が塗布される、請求項８に記載のフレキシブル電池。
【手続補正２】
【補正対象書類名】明細書
【補正対象項目名】００１１
【補正方法】変更
【補正の内容】
【００１１】
上記した課題を解決するために、本発明によるフレキシブル電池アセンブリは、分離膜を間に挟んで異なる極性を有する一対の電極板を有する１つ以上の単位セル及び前記電極板からそれぞれ突出する電極タブを含む電極組立体と、前記電極タブに連結される一対の電極リードと、前記電極組立体を構成する電極タブのうち何れか１つの電極リード連結用タブの上に重ね当てられた補強タブと、を含む。前記一対の電極リードのうち何れか１つは、前記電極リード連結用タブと前記電極リードとの間に配置される補強タブの上に結合されて前記電極リード連結用タブに連結されることを特徴とする。前記一対の電極リードのうち何れか１つは、前記電極組立体の内側方向から前記電極組立体の外側方向を向けて曲げられる構造である。
【手続補正３】
【補正対象書類名】明細書
【補正対象項目名】００１２
【補正方法】変更
【補正の内容】
【００１２】
前記電極並列連結用タブを介して同じ極性の電極板が互いに電気的に並列連結されたタブ−タブ結合部は、前記電極組立体の最上段又は最下段を成す最外殻電極板の外面を包んでいる分離膜の上に位置される。
【手続補正４】
【補正対象書類名】明細書
【補正対象項目名】００１３
【補正方法】変更
【補正の内容】
【００１３】
前記フレキシブル電池は、前記電極組立体の外部を囲むように上部圧印部と下部圧印部とが繰り返し形成された外装材部をさらに含む。
【手続補正５】
【補正対象書類名】明細書
【補正対象項目名】００１５
【補正方法】変更
【補正の内容】
【００１５】
電極リード連結用タブと電極リードとが互いに連結されたタブ−リード結合部は、電極組立体の内部に位置された状態である。
【手続補正６】
【補正対象書類名】明細書
【補正対象項目名】００１６
【補正方法】変更
【補正の内容】
【００１６】
前記電極板は、前記電極リード連結用タブと前記電極並列連結用タブとを両側上に全て含む第１の電極板と、前記電極並列連結用タブのみを一側に含む第２の電極板と、を含み、前記第１の電極板の電極リード連結用タブを覆うように前記第２の電極板の上に電極合材が塗布される。
【手続補正７】
【補正対象書類名】明細書
【補正対象項目名】００１８
【補正方法】変更
【補正の内容】
【００１８】
【図１】本発明に係るフレキシブル電池を構成する電極組立体の例示的な構成を示す。
【図２】図１の電極組立体の分解図を示す。
【図３】本発明により電極リード連結用タブと電極リードとの間で補強タブを用いて重ね当て補強構造を完成する過程を示す。
【図４】電極リード連結用タブの上に重ね当てられた補強タブの具体的な寸法を示す。
【図５】電極リード連結用タブの上に結合される電極リードとのタブ−リード結合部の具体的な寸法を示す。
【図６】フレキシブル電池の上で電極リード連結用タブと電極リードとの間に重ね当てる補強タブの様々な形態を示す。
【図７】本発明により電極リード連結用タブの上に電極リードの曲げ構造を用いて結合する過程を示す。
【図８】電極リード連結用タブの上に結合された電極リード部位の具体的な寸法を示す。
【図９】電極リード連結用タブ及び電極リードの具体的な材質を示す。
【図１０】電極組立体及び前記電極組立体を包む外装材部を有するフレキシブル電池を示す。
【図１１】フレキシブル電池を成す外装材部において、前記外装材部の幅と平行な方向に上部圧印部及び下部圧印部などのパターンが形成された態様を示す。
【図１２】外装材部に形成された上部圧印部及び下部圧印部の具体的な形態を説明する。
【図１３】フレキシブル電池を曲げる場合に、外装材部の内／外側に生じる変形を示す。
【図１４】電極組立体の内部に電極リード連結用タブと電極リードとの間の重ね当て補強結合構造及び電極リードの曲げ構造を含むタブ−リード結合部を挿入すると同時に電極を整列する態様を示す。
【図１５】タブ−リード結合部が挿入されると同時に電極が整列された電極組立体を適用した電池と前記内容が適用されていない電池との比較を示す。
【図１６】重ね当て補強結合構造及び電極リードの曲げ構造を同時に含むタブ−リード結合部を電極組立体内に挿入するために、電極組立体を構成する電極板の形態の一実施例を示す。
【図１７】重ね当て補強結合構造及び電極リードの曲げ構造を同時に含むタブ−リード結合部を電極組立体内に挿入する前／後の曲げ評価の比較を示す。 
【手続補正８】
【補正対象書類名】明細書
【補正対象項目名】００５８
【補正方法】変更
【補正の内容】
【００５８】
図１７を参照すると、左側の図面上において、補強タブ５０を介した重ね当て補強結合構造及び電極リードの曲げ結合構造を含むタブ−リード結合部を電極組立体の内に挿入する前は、フレキシブル電池の評価項目のうち曲げ評価（ベンディングテスト）中に電極リード連結用タブと電極リード結合部上において切れ現象が生じたことを確認することができる。
【手続補正９】
【補正対象書類名】明細書
【補正対象項目名】００６０
【補正方法】変更
【補正の内容】
【００６０】
図１６を参照すると、補強タブ５０を介した重ね当て補強結合構造及び電極リードの曲げ結合構造を含むタブ−リード結合部を電極組立体の内に挿入するために、電極組立体を構成する電極板の形態の実施例を示す。